(57)【要約】【課題】  斬新なアイデアを導出する手助けをするためのアイデア導出支援システムを提供することである。【解決手段】  ユーザ端末（１４）とサーバ（１６）とがネットワーク（１２）を介して互いに接続されているアイデア導出支援システム（１０）であって、サーバが、複数の辞書を有する辞書データベース（１８）と、ユーザ端末からの指示に基づいて辞書データベースの中から選択された複数の所望の辞書が格納された選択辞書データベース（２２）と、ユーザ端末からの指示に基づいて選択辞書データベースのうちの所望の１又は複数の辞書の単語を任意に並び替えた単語並び替え部（２６）とを備えていることを特徴とするシステムが提供される。【選択図】  図１
2012038128.tif 000002
【特許請求の範囲】
【請求項１】
ユーザ端末とサーバとがネットワークを介して互いに接続されているアイデア導出支援システムであって、
前記サーバが、複数の辞書を有する辞書データベースと、前記ユーザ端末からの指示に基づいて前記辞書データベースの中から選択された複数の所望の辞書が格納された選択辞書データベースと、前記ユーザ端末からの指示に基づいて前記選択辞書データベースのうちの所望の１又は複数の辞書の単語を任意に並び替えた単語並び替え部とを備えていることを特徴とするシステム。
【請求項２】
ユーザ端末とサーバとがネットワークを介して互いに接続されているアイデア導出支援システムであって、
前記サーバが、複数の辞書を有する辞書データベースを備え、
前記ユーザ端末が、前記辞書データベースの中から選択された複数の所望の辞書を前記サーバからダウンロードして格納された選択辞書データベースと、前記選択辞書データベースのうちの所望の１又は複数の辞書の単語を任意に並び替えた単語並び替え部とを備えていることを特徴とするシステム。
【請求項３】
アイデア導出支援システムであって、
複数の辞書を有する辞書データベースと、前記辞書データベースの中から選択された複数の所望の辞書が格納された選択辞書データベースと、前記選択辞書データベースのうちの所望の１又は複数の辞書の単語を任意に並び替えた単語並び替え部とを備えていることを特徴とするシステム。
【請求項４】
前記辞書に記録される単語が、連続した番号と、前記番号に対応した単語要素とを有しており、乱数に基づいて前記番号を並び替えることにより、前記単語要素を並べ替えるように構成されていることを特徴とする請求項１から請求項３までのいずれか１項に記載されたシステム。
【発明の詳細な説明】
【技術分野】
【０００１】
本発明は、コンピュータを利用してアイデアを導出する手助けをするためのアイデア導出支援システムに関する。本発明におけるコンピュータには、パーソナルコンピュータの他、各種携帯端末（例えば、スマートフォン、ＰＤＡ、携帯電話機、ＰＨＳなど）が含まれる。
【背景技術】
【０００２】
多数のデータを収集し、これらを任意に組み替えることにより、新たな発想を生み出そうとする手法が知られている。たとえば、ＫＪ法として知られている方法は、フィールドワークやブレインストーミング等で種々のデータを収集し、これらの雑多なデータを適当に組み替える作業を行う過程において、新たな発想を生み出そうとするものである。
【発明の開示】
【発明が解決しようとする課題】
【０００３】
本発明は、このような雑多な情報の組み替えにより新たなアイデアを創出することができる点に着目し、斬新なアイデアを導出する手助けをするためのアイデア導出支援システムを提供することを目的としている。
【課題を解決するための手段】
【０００４】
本願請求項１に記載の、ユーザ端末とサーバとがネットワークを介して互いに接続されているアイデア導出支援システムは、前記サーバが、複数の辞書を有する辞書データベースと、前記ユーザ端末からの指示に基づいて前記辞書データベースの中から選択された複数の所望の辞書が格納された選択辞書データベースと、前記ユーザ端末からの指示に基づいて前記選択辞書データベースのうちの所望の１又は複数の辞書の単語を任意に並び替えた単語並び替え部とを備えていることを特徴とするものである。
【０００５】
本願請求項２に記載の、ユーザ端末とサーバとがネットワークを介して互いに接続されているアイデア導出支援システムは、前記サーバが、複数の辞書を有する辞書データベースを備え、前記ユーザ端末が、前記辞書データベースの中から選択された複数の所望の辞書を前記サーバからダウンロードして格納された選択辞書データベースと、前記選択辞書データベースのうちの所望の１又は複数の辞書の単語を任意に並び替えた単語並び替え部とを備えていることを特徴とするものである。
【０００６】
本願請求項３に記載のアイデア導出支援システムは、複数の辞書を有する辞書データベースと、前記辞書データベースの中から選択された複数の所望の辞書が格納された選択辞書データベースと、前記選択辞書データベースのうちの所望の１又は複数の辞書の単語を任意に並び替えた単語並び替え部とを備えていることを特徴とするものである。
【０００７】
本願請求項４に記載のアイデア導出支援システムは、前記請求項１から請求項３までのいずれか１項のシステムにおいて、前記辞書に記録される単語が、連続した番号と、前記番号に対応した単語要素とを有しており、乱数に基づいて前記番号を並び替えることにより、前記単語要素を並べ替えるように構成されていることを特徴とするものである。
【発明の効果】
【０００８】
本発明のアイデア導出支援システムによれば、複数の単語を偶発的に組み合わせて表示することができるので、思いがけない組み合わせから、アイデアやひらめきを導き出すことができる。
【０００９】
本発明のアイデア導出支援システムは、新商品開発、ゲーム企画、新規化合物探究、ダミーデータ作成、語学学習、料理創作、作詞・作曲などの種々多様な用途において、活用することが可能である。
【発明を実施するための最良の形態】
【００１０】
次に、図面を参照して、本発明の好ましい実施の形態に係るアイデア導出支援システム（以下「本システム」という）について詳細に説明する。
【００１１】
図１には、本発明の第１の実施の形態に係るアイデア導出支援システム１０の全体構成の一例を模式的に示したブロック図が示されている。インターネット等の通信網であるネットワーク１２に、ユーザ端末１４、及び、管理ステーションとして機能するサーバ１６が接続されている。
【００１２】
ユーザ端末１４としては、パーソナルコンピュータを使用してもよいし、スマートフォン、ＰＤＡ（携帯情報端末）、携帯電話機、ＰＨＳなどの種々の携帯端末を使用してもよい。パーソナルコンピュータは、通常の型式のコンピュータ、すなわち、バスによって相互に接続されたＣＰＵ（中央処理装置）、メモリ、記憶装置であるハードディスク、キーボード等の入力装置、及び表示装置であるディスプレイを有するものでよい。ユーザ端末１４には、周知のブラウザが搭載されており、ネットワーク１２上で提供されるウェブページを閲覧することができるようになっている。
【００１３】
一方、管理ステーションとなるサーバ１６は、バスによって相互に接続されたＣＰＵ、メモリ、及び記憶装置であるハードディスクを少なくとも有しており、サーバ１６は、バス上のネットワークインタフェースを介してネットワーク１２に接続されている。
【００１４】
サーバ１６は、辞書データベース１８と、受付部２０と、選択辞書データベース２２と、乱数発生部２４と、単語並び替え部２６と、表示出力部２８とを備えている。なお、図１のブロック図に示される各ブロックは、ハードウェア的にはＣＰＵやメモリ等の素子で実現され、ソフトウェア的にはコンピュータプログラム等によって実現されるが、ここではそれらの連携によって実現される機能ブロックとして示されている。
【００１５】
図２（ａ）は、辞書データベース１８の一例を示した模式図である。辞書データベース１８は、複数の辞書（図２（ａ）に示す例では、辞書１８Ａ，１８Ｂ，１８Ｃ，・・・）を有している。各辞書１８Ａ，・・・には、品詞を異にするｎ個の単語（辞書１８Ａには形容詞（「とかく」，「ひたすら」，「めったに」，「とても」，・・・）、辞書１８Ｂには副詞（「はやい」，「すくいがたい」，「かびくさい」，「えらい」，・・・）、辞書１８Ｃには動詞（「走る」，「書く」，「曲げる」，「戦う」，・・・））がそれぞれ格納されている。図２（ｂ）は、各辞書に記録される単語の構成を示した模式図である。各単語は、０〜ｎ−１の連続番号１８ａと、各番号１８ａに対応した単語要素１８ｂとを有している（換言すると、データベース１８には、０〜ｎ−１の番号１８ａが付されたｎ個の単語要素１８ｂが記録されている）。ここで、ｎは２，３，・・・である。
【００１６】
受付部２０は、ユーザ端末１４から送信された指示を他のブロック（辞書データベース１８、乱数発生部２４など）に提供するように機能する。
【００１７】
選択辞書データベース２２には、ユーザ端末１４から送信された指示に従って、辞書データベース１８の中から選択された複数の所望の辞書が格納される。
【００１８】
乱数発生部２４では、ユーザ端末１４から送信された指示に従って、例えば線形合同法により擬似乱数を発生させる。
【００１９】
単語並び替え部２６では、ユーザ端末１４から送信された指示に従って、選択辞書データベース２２のうちの所望の１又は複数の辞書について、乱数発生部２４で発生した乱数に基づいて、単語を並び替える。図３を参照して、単語の並び替え手順について説明する。図３（ａ）は、単語を並び替える前の辞書１８Ａ、１８Ｂ、１８Ｃを示している。ここで、基準行を「０」行とする（図３では、ハッチングで示されている）。いま、辞書１８Ｂの単語を並び替えるものとする。ユーザ端末１４から指示を送ると、乱数発生部２４によって乱数が発生され、その乱数に従って辞書１８Ｂの単語が並び替えられる（具体的に説明すると、乱数「２」が発生したとすると、図３（ｂ）に示されるように、それまで「０」であった辞書１８Ｂの基準行を「２」とするように、単語が並び替えられる）。なお、基準行を「０」以外に設定してもよいし、単語の並び替え手順について上記以外の適当な手段を適用してもよい。
【００２０】
表示出力部２８では、上述のようにして単語を並び替えた辞書を、ネットワーク１２を介してユーザ端末１４に送信する。ユーザ端末１４のディスプレイには、このようにして送信された辞書が表示される。
【００２１】
次に図４および図５を参照して、以上のように構成された本システムの動作について説明する。図４および図５は、ユーザ端末１４のディスプレイ上に表示される画面の例を示したものである。この表示例では、４列１０行（各列が１つの辞書に対応しており、各行は辞書内の単語要素を示している）の枡目内に単語が表示されている。
【００２２】
まず最初に、ユーザ端末１４から指示を送り、辞書データベース１８から所望の辞書（本例では、「副詞」辞書、「形容詞」辞書、「動詞」辞書、「擬音」辞書）を選択して、選択辞書データベース２２に格納する。図４は、ユーザ端末１４上のディスプレイ上に表示される選択辞書データベース２２を示している。
【００２３】
次いで、ユーザ端末１４から指示を送り、表示されている辞書のうち所望の辞書を並び替える（本例では、「形容詞」辞書を並び替えるものとする。「形容詞」辞書の下方に位置する「Shuffle 」ボタンをクリックする）。すると、乱数発生部２４から「形容詞」辞書に対して乱数が送られ、上述のような手順によって単語の並び替えが行われる。
【００２４】
このようにして並び替えられた「形容詞」辞書は、並び替えを選択しなかった他の辞書（「副詞」辞書、「動詞」辞書、「擬音」辞書）とともに、ユーザ端末１４のディスプレイ上に表示される（図５参照）。ユーザは、画面表示（各行）を眺め、種々の発想を練る参考とする（例えば、２行目の「とかく」「しろっぽい」「傾く」「ベタベタ」という４つの単語の組み合わせから、何らかの有用なアイデアを導き出す）。なお、所望の発想が得られなかった場合には、同様の動作を所望の回数、繰り返すことができる。
【００２５】
図６は、本発明の第２の実施の形態に係るアイデア導出支援システム３０の全体構成の一例を模式的に示したブロック図である。アイデア導出支援システム３０は、ユーザ端末３４が乱数発生部４４、選択辞書データベース４２および単語並び替え部４６を備えている点を除いて、アイデア導出支援システム１０と実質的に同一の構成を有している。
【００２６】
すなわち、アイデア導出支援システム３０では、辞書データベース３８をサーバ３６からユーザ端末３４にネットワーク３２を介してダウンロードし、ユーザ端末３４において単語の並び替えを行うように構成されている。
【００２７】
或いは、アイデア導出支援システム５０をユーザ端末５４のみで構成してもよい。
【００２８】
すなわち、アイデア導出支援システム５０においては、ユーザ端末５４が、辞書データベース５８と、選択辞書データベース６２と、乱数発生部６４と、単語並び替え部６６とを備えており、サーバとのネットワークは構成されていない。アイデア導出支援システム５０では、単語の並び替えは、ユーザ端末５４において完結するようになっている。
【００２９】
本発明は、以上の発明の実施の形態に限定されることなく、特許請求の範囲に記載された発明の範囲内で、種々の変更が可能であり、それらも本発明の範囲内に包含されるものであることはいうまでもない。
【００３０】
例えば、前記実施の形態では、辞書が予めデータベースとして準備されているが、ユーザが辞書を製作し、その辞書を基にして、或いは、予め準備された辞書と個別に製作された辞書とを基にして、本システムを利用してもよい。また、前記実施の形態では、各辞書にｎ個の単語が格納されるものとして記載されているが、辞書に格納される単語はｎ個に限定されるものではない（例えば、辞書１８Ａにｎ個、辞書１８Ｂに（ｎ＋１０）個、辞書１８Ｃに（ｎ−１０）個の単語を格納するように構成してもよい）。
【００３１】
さらに、前記実施の形態では、同じ品詞の単語が各辞書に格納されるものとして説明されているが、たとえば、料理や食材に関連した単語を辞書に格納し、新規な料理の創出の一助にしてもよい（図７では、第１列に肉・魚名、第２列に野菜名、第３列に乳製品名、第４列に調味料名が示されている）。
【図面の簡単な説明】
【００３２】
【図１】本発明の第１の実施の形態に係るアイデア導出支援システムの全体構成の一例を模式的に示したブロック図である。
【図２】図２（ａ）は、辞書データベースの一例を示した模式図、図２（ｂ）は、各辞書に記録される単語の構成を示した模式図である。
【図３】単語の並び替え手順を説明するための図である。
【図４】図１のシステムの動作を説明するための図である。
【図５】図１のシステムの動作を説明するための別の図である。
【図６】本発明の第２の実施の形態に係るアイデア導出支援システムの全体構成の一例を模式的に示したブロック図である。
【図７】料理に関するアイデア導出例を示した図である。
【符号の説明】
【００３３】
１０、３０、５０  アイデア導出支援システム
１２、３２  ネットワーク
１４、３４、５４  ユーザ端末
１６、３６  サーバ
１８、３８、５８  辞書データベース
１８ａ  連続番号
１８ｂ  単語要素
２０  受付部
２２、４２、６２  選択辞書データベース
２４、４４、６４  乱数発生部
２６、４６、６６  単語並び替え部
２８  表示出力部
【図１】
2012038128.tif 000003
【図２】
2012038128.tif 000004
【図３】
2012038128.tif 000005
【図４】
2012038128.tif 000006
【図５】
2012038128.tif 000007
【図６】
2012038128.tif 000008
【図７】
2012038128.tif 000009